(57)【要約】【課題】放射線固体検出器が内部給電手段で駆動している場合に、無駄な電力消費を抑えつつ、適切なオフセット補正値による高精度のオフセット補正を行うことのできる放射線固体検出器を提供する。【解決手段】所定期間撮影が実行されない場合には撮影可能な撮影モードから撮影を休止する撮影休止モードに遷移し、所定の起動信号が入力されると撮影モードに遷移するように、カセッテ制御部３０が電力供給手段による各機能部に対する給電状態を制御するとともに、温度センサ２７により測定されたセンサパネル部２４の温度が、記憶部３１に記憶されているオフセット補正値を算出した際のセンサパネル部２４の温度よりも所定以上変動している場合には、新たにオフセット補正値を取得するように各機能部を制御する。【選択図】図４
2010071659.tif 000002
【特許請求の範囲】
【請求項１】
複数の放射線検出素子を２次元状に配置した検出手段と、
前記検出手段の前記各放射線検出素子の出力値を各画素単位で読み取る読取手段と、
前記読取手段により読み取られた前記出力値に基づいて各画素毎のオフセット補正値を算出する演算手段と、
前記読取手段及び前記演算手段を制御してオフセット補正値を取得させる補正値取得制御手段と、
オフセット補正値を記憶する補正値記憶部と、
各機能部に電力を供給する内部給電手段を含む電力供給手段と、
前記電力供給手段による各機能部に対する電力供給を制御する給電制御手段と、
前記検出手段の温度を測定する温度測定手段と、
を有する放射線固体検出器であって、
前記給電制御手段は、所定期間撮影が実行されない場合には撮影可能な撮影モードから撮影を休止する撮影休止モードに遷移し、所定の起動信号が入力されると撮影モードに遷移するように、前記電力供給手段による各機能部に対する給電状態を制御するものであり、
前記温度測定手段は、前記起動信号が入力された後に前記温度を測定し、
補正値取得制御手段は、前記温度測定手段により測定された温度が、前記補正値記憶部に記憶されているオフセット補正値を算出した際の温度よりも所定以上変動している場合には、新たにオフセット補正値を取得するように前記読取手段及び前記演算手段を制御することを特徴とする放射線固体検出器。
【請求項２】
前記給電制御手段は、前記撮影休止モードにおいて、前記検出手段及び前記読取手段に対する電力供給を停止させ又は電力供給レベルを低減させるように、前記電力供給手段による各機能部に対する給電状態を制御するものであることを特徴とする請求項１に記載の放射線固体検出器。
【発明の詳細な説明】
【技術分野】
【０００１】
本発明は、放射線固体検出器に関するものである。
【背景技術】
【０００２】
近年、医療用の放射線画像を取得する手段として、いわゆるフラットパネルディテクタ（Flat Panel Detector：ＦＰＤ）と呼ばれる固体撮像素子を２次元的に配置した放射線固体検出器が知られている。このような放射線固体検出器には、放射線検出素子として、ａ−Ｓｅ（アモルファスセレン）のような光導電物質を用いて放射線エネルギーを直接電荷に変換し、この電荷を２次元的に配置されたＴＦＴ（Thin Film Transistor：薄膜トランジスタ）等の信号読出し用のスイッチ素子によって画素単位に電気信号として読み出す直接方式のものや、放射線エネルギーをシンチレータ等で光に変換し、この光を２次元的に配置されたフォトダイオード等の光電変換素子で電荷に変換してＴＦＴ等によって電気信号として読み出す間接方式のもの等があることが知られている。
【０００３】
そして、何れの方式においても、被写体を透過してきた放射線を放射線固体検出器で検出して得られた実写画像データに対してゲイン補正やオフセット補正等を行い、実写画像データを補正する必要があることが知られている。
【０００４】
ゲイン補正やオフセット補正を行うためには、ゲイン補正値、オフセット補正値が必要であるが、これらの補正値は、経時的に変化するものであるため、放射線固体検出器に対して定期的にキャリブレーションを行い、補正値を更新するのが一般的である。
例えば間接方式の放射線固体検出器の場合、放射線検出素子の各画素を構成するシンチーレータ、光電変換素子や信号読出し用のスイッチ素子であるＴＦＴ等は、通電使用に伴う温度上昇による影響を受けやすく、特性が徐々に変化することが知られている。このため、ゲイン補正値、オフセット補正値について適宜更新しなければ、適切な補正を行うことができない。
【０００５】
特に、オフセット補正値は、ゲイン補正値に比べて比較的変動周期が短く（すなわち変動しやすく）、温度変化等により大きく変化することが知られている。このため、撮影状態に近い状態で求められたオフセット補正値に基づく補正を行わなければ、画像品質に影響を及ぼすことになる。
【０００６】
そこで、オフセット補正値の経時的な特性の変動を把握するために、放射線固体検出器に放射線を照射しないで読み取りを実施するいわゆるダーク読取を定期的に行い、このダーク読取値に基づきオフセット補正値を算出して、適宜オフセット補正値を更新するオフセットキャリブレーションが行われている。
この算出時、ダーク読取の信号に電気的に重畳するノイズ影響を緩和する為、個々の放射線検出素子毎に複数回ダーク読取を行い、それによって得たダーク読取値の平均値を求めてオフセット補正値とすることが一般的である。
【０００７】
また、撮影室に固定設置される立位型或いは臥位型撮影装置においては、それぞれの装置に内蔵された放射線固体検出器に連続通電し、温度上昇が飽和した状態で使用することにより、温度特性の安定化を図ることも行なわれている。
【０００８】
ところで、近年、内部給電手段としてバッテリを内蔵し、ケーブルレスで駆動する可搬型の放射線固体検出器が開発されている。
【０００９】
このような可搬型の放射線固体検出器では、バッテリの消耗防止のため、一般的には、撮影に使用しない時は各部に電力を供給せず撮影休止モード（いわゆるスリープモード）とし（例えば、特許文献１参照）、撮影に際しては、技師による電源スイッチの操作や、コンソールからの起動指示によって、各機能部に電力が供給され、撮影モードに遷移する構成が知られている（例えば、特許文献１及び特許文献２参照）。
【特許文献１】特開２００６−２０８３０８号公報
【特許文献２】特開２０００−１３９８８９号公報
【発明の開示】
【発明が解決しようとする課題】
【００１０】
しかしながら、放射線固体検出器をバッテリによって駆動させる場合、オフセット補正値を得るためのダーク読取を撮影毎に行うと、その度にバッテリの電力を消耗し、充電サイクルが短くなるという問題がある。
また、撮影室に固定設置された放射線固体検出器であれば、前述のように、連続通電して温度上昇が飽和した状態で使用することもできるが、放射線固体検出器をバッテリによって駆動させる場合には、バッテリの電力消耗を抑える必要性から、連続通電しておくことは困難である。
【００１１】
他方で、一般的な単純放射線撮影の場合、１人の患者を連続撮影したとしても、その撮影枚数は数枚程度であり、この間に、放射線固体検出器内部の温度が上昇し、放射線固体検出器の特性が変化することは稀である。また、バッテリの消耗防止のため、撮影完了後にできるだけ各部に電力を供給しない撮影休止モードとする場合には、一連の撮影サイクルを繰り返す間に、通電による放射線固体検出器内部の温度上昇はあまりなく、比較的安定している。
【００１２】
従って、例えば始業時等にキャリブレーションを行いオフセット補正値を取得して、以後、撮影休止モードに維持され、撮影リクエスト時に再度覚醒させ、撮影完了後には再び撮影休止モードに維持されるというような使用態様である場合には、前記キャリブレーション時からの放射線固体検出器内部の温度変動が少なく、始業時に取得したオフセット補正値をデフォルト値として使用して、実写画像データのオフセット補正を行っても精度の高い補正を行うことができる。
それにもかかわらず、このような場合にもダーク読取及びオフセット補正値の取得を頻繁に行うとすると、無駄に消費電力が増えてしまい、バッテリの充電サイクルも短くなるとの問題がある。
【００１３】
本発明は以上のような事情に鑑みてなされたものであり、放射線固体検出器が内部給電手段で駆動している場合に、無駄な電力消費を抑えつつ、適切なオフセット補正値による高精度のオフセット補正を行うことのできる放射線固体検出器を提供することを目的とする。
【課題を解決するための手段】
【００１４】
上記課題を解決するため、本発明は、
複数の放射線検出素子を２次元状に配置した検出手段と、
前記検出手段の前記各放射線検出素子の出力値を各画素単位で読み取る読取手段と、
前記読取手段により読み取られた前記出力値に基づいて各画素毎のオフセット補正値を算出する演算手段と、
前記読取手段及び前記演算手段を制御してオフセット補正値を取得させる補正値取得制御手段と、
オフセット補正値を記憶する補正値記憶部と、
各機能部に電力を供給する内部給電手段を含む電力供給手段と、
前記電力供給手段による各機能部に対する電力供給を制御する給電制御手段と、
前記検出手段の温度を測定する温度測定手段と、
を有する放射線固体検出器であって、
前記給電制御手段は、所定期間撮影が実行されない場合には撮影可能な撮影モードから撮影を休止する撮影休止モードに遷移し、所定の起動信号が入力されると撮影モードに遷移するように、前記電力供給手段による各機能部に対する給電状態を制御するものであり、
前記温度測定手段は、前記起動信号が入力された後に前記温度を測定し、
補正値取得制御手段は、前記温度測定手段により測定された温度が、前記補正値記憶部に記憶されているオフセット補正値を算出した際の温度よりも所定以上変動している場合には、新たにオフセット補正値を取得するように前記読取手段及び前記演算手段を制御することを特徴としている。
【発明の効果】
【００１５】
本発明によれば、放射線固体検出器が起動信号を受けて撮影休止モードから覚醒すると検出手段の温度を測定し、この測定結果によって、予め補正値記憶部に記憶されているオフセット補正値を用いることができるかどうかを判断する。
オフセット補正値は放射線検出素子等の温度変化等により大きく変化するため、温度変化があったときには、それに応じて適宜オフセット補正値を更新する必要がある。この点、本実施形態では、検出手段の温度に所定以上の変動がある場合には、新たにオフセット補正値を算出するため、適切なオフセット補正値を用いて精度の高いオフセット補正を行うことができる。
また、検出手段の温度に所定以上の変動がない場合には、新たなオフセット補正値の算出を行わずに、予め補正値記憶部に記憶されているオフセット補正値を用いてオフセット補正を行うので、内部給電手段で駆動する放射線固体検出器において、内部給電手段の無駄な電力消費を抑えて、放射線固体検出器の撮影可能時間を長く保つことが可能となるとの効果を奏する。
【００１６】
また、一定時間撮影が行われないときには、給電制御手段の制御により、自動的に撮影休止モードとなるので、内部給電手段の無駄な電力消費量を抑えて、放射線固体検出器の撮影可能時間を長く保つことが可能となるとの効果を奏する。
【００１７】
また、撮影休止モードにおいては、検出手段及び読取手段に対する電力供給が停止し又は電力供給レベルが低減するようにした場合には、オフセット補正値に影響を与える検出手段等の温度変化が少ないため、予め補正値記憶部に記憶されているデフォルト値としてのオフセット補正値をそのまま使用することができる。これにより、頻繁にダーク読取及びオフセット補正値の算出を行う必要がなく、無駄な電力消費を抑えることができる。
【発明を実施するための最良の形態】
【００１８】
以下、図１から図７を参照しながら、本発明に係る放射線固体検出器の好適な一実施形態について説明する。ただし、本発明を適用可能な実施形態は図示例のものに限定されるものではない。
【００１９】
放射線固体検出器は、例えば図１に示すような放射線画像撮影システム１内に配置されて、放射線画像データ（以下、単に「画像データ」と称する。）を取得するものである。
本実施形態において放射線固体検出器は、いわゆるフラットパネルディテクタ（Flat Panel Detector：以下「ＦＰＤ」という。）をカセッテ型（可搬型）に構成したカセッテ
型のＦＰＤ２（以下「ＦＰＤカセッテ２」と称する。）である。
【００２０】
本実施形態において、放射線画像撮影システム１は、このＦＰＤカセッテ２と、ＦＰＤカセッテ２と通信可能なコンソール５とを備えている。
【００２１】
図１に示すように、ＦＰＤカセッテ２は、例えば、放射線を照射して図示しない患者Ｍの一部である被写体（患者Ｍの撮影対象部位）の撮影を行う撮影室Ｒ１に設けられており、コンソール５は、この撮影室Ｒ１に対応して設けられている。
なお、本実施形態においては、放射線画像撮影システム内に１つの撮影室Ｒ１が設けられており、撮影室Ｒ１内に３つのＦＰＤカセッテ２が配置されている場合を例として説明するが、撮影室の数、各撮影室に設けられるＦＰＤカセッテ２の数は図示例に限定されない。
また、撮影室Ｒ１が複数ある場合に、コンソール５は各撮影室Ｒ１に対応して設けられていなくてもよく、複数の撮影室Ｒ１に対して１台のコンソール５が対応付けられていてもよい。
【００２２】
撮影室Ｒ１内には、ＦＰＤカセッテ２を装填・保持可能なカセッテ保持部４８を備えるブッキー装置３、被写体（患者Ｍの撮影対象部位）に放射線を照射するＸ線管球等の放射線源を備える放射線発生装置４が設けられている。カセッテ保持部４８は、撮影時にＦＰＤカセッテ２を装填するものである。なお、カセッテ保持部４８は、ブッキー装置３に設けられているものに限定されず、例えば後述するバッテリ２８の充電や有線による通信可能な端子部を備える図示しないクレードル等に備えられていてもよい。
なお、図１には撮影室Ｒ１内に臥位撮影用のブッキー装置３ａと立位撮影用のブッキー装置３ｂとがそれぞれ１つずつ設けられている場合を例示しているが、撮影室Ｒ１内に設けられるブッキー装置３の数は特に限定されない。また、本実施形態では、各ブッキー装置３に対応して１つずつ放射線発生装置４が設けられている構成を例示しているが、例えば、撮影室Ｒ１内に放射線発生装置４を１つ備え、複数のブッキー装置３に対して１つの放射線発生装置４が対応し、適宜位置を移動させたり、放射線照射方向を変更する等して使用するようになっていてもよい。
【００２３】
また、撮影室Ｒ１は、放射線を遮蔽する室であり、無線通信用の電波も遮断されるため、撮影室Ｒ１内には、ＦＰＤカセッテ２とコンソール５等の外部装置とが通信する際にこれらの通信を中継する無線アクセスポイント（基地局）６等が設けられている。
【００２４】
また、本実施形態では、撮影室Ｒ１に隣接して前室Ｒ２が設けられている。前室Ｒ２には、放射線技師や医師等（以下「操作者」と称する。）が被写体に放射線を照射する放射線発生装置４の管電圧、管電流、照射野絞り等の制御を行ったり、ブッキー装置３の操作等を行う操作装置７が配置されている。
【００２５】
操作装置７にはコンソール５から放射線発生装置４の放射線照射条件を制御する制御信号が送信されるようになっており、放射線発生装置４の放射線照射条件は、操作装置７に送信されたコンソール５からの制御信号に応じて設定される。放射線照射条件としては、例えば、曝射開始／終了タイミング、放射線管電流の値、放射線管電圧の値、フィルタ種等がある。
【００２６】
放射線発生装置４には、操作装置７から放射線の曝射を指示する曝射指示信号が送信されるようになっており、放射線発生装置４は、曝射指示信号に従って所定の放射線を所定時間、所定のタイミングで照射するようになっている。
本実施形態では、曝射指示信号の送信後実際に放射線の照射が開始されるまでの間にＦＰＤカセッテ２においてダーク読取が行われるように連携制御される。放射線発生装置４は、曝射指示信号の受信後、このダーク読取に必要な時間を経過した後に放射線を照射する。
なお、曝射指示信号が送信されてからどの程度の時間経過後に実際の曝射を行うか及び放射線をどの程度の時間照射するか等は、予め撮影部位等に応じて規定されており、放射線発生装置４は、これに基づいて放射線の照射を行う。
また、ダーク読取の終了後に曝射指示信号が放射線発生装置４に送信される構成としてもよい。
【００２７】
図２は、本実施形態におけるＦＰＤカセッテ２の斜視図である。
ＦＰＤカセッテ２は、図２に示すように、内部を保護する筐体２１を備えている。なお、図２では、筐体２１がフロント部材２１ａとバック部材２１ｂとで形成されている場合が示されているが、その形状、構成は特に限定されず、この他にも、筐体２１を筒状のモノコック状に形成することも可能である。
【００２８】
ＦＰＤカセッテ２は、その厚さやサイズが図示しないＣＲカセッテの場合と同様であって、ＣＲカセッテ用に設置されている各種ブッキー装置３等に装填して使用可能であることが好ましい。具体的には、ＣＲカセッテと同様に、従来のスクリーン／フィルム用のカセッテにおける規格であるＪＩＳ  Ｚ  ４９０５（対応する国際規格はＩＥＣ  ６０４０６）に準拠する寸法で構成されていることが好ましく、この場合、ＦＰＤカセッテ２の放射線入射方向の厚さは１５ｍｍ＋１ｍｍ〜１５ｍｍ−２ｍｍの範囲内に形成される。このようにＣＲカセッテとの互換性を有することにより、ＦＰＤカセッテ２を用いた撮影にも既存の設備をそのまま利用することができ、便宜である。なお、ＦＰＤカセッテ２の厚みはここに示したものに限定されない。
また、ＦＰＤカセッテ２としては、例えば、８インチ×１０インチ、１０インチ×１２インチ、１１インチ×１４インチ、１４インチ×１４インチ、１４インチ×１７インチ、１７インチ×１７インチ等のサイズのものが用意されているが、サイズはここに挙げたものに限定されない。
【００２９】
図２に示すように、本実施形態において、ＦＰＤカセッテ２の側面部分には、電源スイッチ２２、インジケータ２５、コネクタ部２６等が配置されている。
【００３０】
電源スイッチ２２は、ＦＰＤカセッテ２の電源のＯＮ／ＯＦＦを切り替えるものであり、電源スイッチ２２を操作することにより、後述するバッテリ２８（図４参照）によるＦＰＤカセッテ２の各機能部に対する電力供給の開始及び停止を指示する信号が後述するカセッテ制御部３０（図３及び図４参照）に出力される。ＦＰＤカセッテ２を撮影に使用しないときには、電源をＯＦＦ（すなわち、バッテリ２８による各機能部に対する電力供給を停止）にしておくことにより、バッテリ２８の消費を抑えることができる。
【００３１】
インジケータ２５は、例えばＬＥＤ等で構成されバッテリ２８の充電残量や各種の操作状況等を表示するものである。
【００３２】
コネクタ部２６は、図示しない外部電源と接続されるケーブル４９を接続可能となっている。コネクタ部２６には、外部電源から供給される電力を受電してバッテリ２８に電力を供給するための外部給電端子（図示せず）が接続されており、コネクタ部２６にケーブル４９が接続されることによりバッテリ２８の充電が可能となる。
なお、コネクタ部２６を介して外部給電端子にケーブル４９が接続されることによりＦＰＤカセッテ２の各機能部に対して直接外部電源から給電が行われるようにしてもよい。
【００３３】
また、ＦＰＤカセッテ２の側面部分には、筐体２１内に内蔵されたバッテリ２８の交換のために開閉される蓋部材４７が設けられており、蓋部材４７の側面部には、ＦＰＤカセッテ２が無線アクセスポイント６を介して外部と無線方式で情報の送受信を行うためのアンテナ装置４６が埋め込まれている。
【００３４】
筐体２１の放射線入射面Ｘ（図２参照）の内側には、放射線入射面Ｘから入射した放射線を吸収して可視光を含む波長の光に変換する図示しないシンチレータ層が形成されている。シンチレータ層は、例えばＣｓＩ：ＴｌやＧｄ2Ｏ2Ｓ：Ｔｂ、ＺｎＳ：Ａｇ等の母体内に発光中心物質が付活された蛍光体を用いて形成されたものを用いることができる。
【００３５】
シンチレータ層の放射線が入射する側の面とは反対側の面側には、シンチレータ層から出力された光を電気信号に変換する複数の光電変換素子２３（図３参照）が２次元状に複数配列された検出手段としてのセンサパネル部２４が設けられている。光電変換素子２３は、例えばフォトダイオード等であり、シンチレータ層等と共に、被写体を透過した放射線を電気信号に変換する放射線検出素子を構成する。
なお、ＦＰＤカセッテ２は、放射線検出素子が光電変換素子２３、シンチレータ層等を備える構成のもの（いわゆる間接型の放射線固体検出器）に限定されない。例えばシンチレータ層を介さずに、入射した放射線を放射線検出素子で直接電気信号に変換する構成のもの（いわゆる直接型の放射線固体検出器）であってもよい。
【００３６】
本実施形態においては、カセッテ制御部３０、走査駆動回路３２、信号読出し部３３等により、このセンサパネル部２４の各光電変換素子２３の出力値を読み取る読取手段である読取部４５（図３参照）が構成されている。
【００３７】
センサパネル部２４及び読取部４５の構成について、図３の等価回路図を参照しつつ、さらに説明する。
図３に示すように、センサパネル部２４の各光電変換素子２３の一方の電極にはそれぞれ信号読出し用のスイッチ素子であるＴＦＴ４１のソース電極が接続されている。また、各光電変換素子２３の他方の電極にはバイアス線Ｌｂが接続されており、バイアス線Ｌｂはバイアス電源３６に接続されていて、バイアス電源３６から各光電変換素子２３にバイアス電圧が印加されるようになっている。
【００３８】
各ＴＦＴ４１のゲート電極はそれぞれ走査駆動回路３２から延びる走査線Ｌｌに接続されており、各ＴＦＴ４１のドレイン電極はそれぞれ信号線Ｌｒに接続されている。各信号線Ｌｒは、それぞれ信号読出し回路４０内の増幅回路３７に接続されており、各増幅回路３７の出力線はそれぞれサンプルホールド回路３８を経てアナログマルチプレクサ３９に接続されている。また、アナログマルチプレクサ３９にはＡ／Ｄ変換器４２が接続されており、Ａ／Ｄ変換器４２により信号がアナログ信号からデジタル信号に変換され、変換後の信号は画像データメモリ４３に記憶される。画像データメモリ４３は、伝送回路４４を介してカセッテ制御部３０に接続されている。本実施形態では、増幅回路３７、サンプルホールド回路３８、アナログマルチプレクサ３９を備える信号読出し回路４０と、Ａ／Ｄ変換器４２と、画像データメモリ４３と、伝送回路４４とにより信号読出し部３３が構成されている。
画像データメモリ４３に記憶されたデジタル画像信号は、適宜カセッテ制御部３０に送信されるようになっている。カセッテ制御部３０には、記憶部３１が接続されている。カセッテ制御部３０は、送信されたデジタル画像信号を画像データとして記憶部３１に記憶させる。
【００３９】
ここで、放射線画像撮影時とダーク読取時における電気信号の流れ等について説明する。
【００４０】
被写体を撮影する通常の放射線画像撮影においては、被写体を透過した放射線がシンチレータ層に入射すると、シンチレータ層からセンサパネル部２４に光が照射され、光の照射を受けた量に応じて、光電変換素子２３の特性が変化する。
【００４１】
そして、放射線画像撮影を終了し、放射線固体検出器１から実写画像データを電気信号として読み出す際には、走査線ＬｌからＴＦＴ４１のゲート電極に読み出し電圧を印加して各ＴＦＴ４１のゲートを開き、光電変換素子２３からＴＦＴ４１を介して電気信号を信号値として信号線Ｌｒに取り出す。そして、信号値は増幅回路３７で増幅される等して、アナログマルチプレクサ３９から順次Ａ／Ｄ変換器４２に送られる。そしてデジタル信号に変換された信号は各光電変換素子２３（すなわち画素）ごとに画像データメモリ４３に記憶される。画像データメモリ４３に記憶された信号は、伝送回路４４を介して適宜カセッテ制御部３０に送信され、実写画像データとして記憶部３１に記憶される。
【００４２】
そして、ＴＦＴ４１に読み出し電圧を印加する走査線Ｌｌを順次走査して上記の読出し処理を走査線Ｌｌごとに行うことで、センサパネル部２４の全光電変換素子２３から電気信号をそれぞれ読み出していくことにより、１回の放射線画像撮影において、各光電変換素子２３でそれぞれ検出され増幅される等により得られた実写画像データが、各光電変換素子２３（すなわち各画素）ごとのデータとして記憶部３１に記憶される。
【００４３】
それに対し、ダーク読取においては、ＦＰＤカセッテ２の全ての光電変換素子２３を一旦リセットして電荷を放出させた後、各ＴＦＴ４１のゲートを閉じて、ＦＰＤカセッテ２を放射線が照射されない状態で放置する。
【００４４】
そして、所定時間経過後、走査線ＬｌからＴＦＴ４１のゲート電極に読み出し電圧を印加して各ＴＦＴ４１のゲートを開いて、各光電変換素子２３に溜まった電荷を信号線Ｌｒに取り出し、放射線画像撮影時と同様に、電荷を増幅回路３７で増幅する等してアナログマルチプレクサ３９を介して順次Ａ／Ｄ変換器４２に送る。Ａ／Ｄ変換器４２においてデジタル信号に変換された信号は各光電変換素子２３（すなわち画素）ごとに画像データメモリ４３に記憶される。なお、このように、放射線が曝射されない状態において、各光電変換素子２３から出力された電荷を増幅する等して得られた出力値（ダーク画像データ）を、以下「ダーク読取値」と称する。画像データメモリ４３に記憶されたダーク読取値は、伝送回路４４を介して適宜カセッテ制御部３０に送信され、各光電変換素子２３のダーク読取値として記憶部３１に記憶される。
【００４５】
そして、ＴＦＴ４１に読み出し電圧を印加する走査線Ｌｌを順次走査して上記の読出し処理を走査線Ｌｌごとに行うことで、センサパネル部２４の全光電変換素子２３から電気信号をそれぞれ読み出していくことにより、全ての光電変換素子２３についてダーク読取値が取得され、取得されたダーク読取値が、各光電変換素子２３（すなわち各画素）ごとのデータとして記憶部３１に記憶される。
【００４６】
本実施形態では、後述するように、センサパネル部２４の温度変化の状況に応じて、カセッテ制御部３０がオフセット補正値を取得するか否かを決定するようになっており、オフセット補正値を取得すると決定した場合には、撮影の直前、すなわち操作装置７から放射線発生装置４に対して曝射指示信号が送信されたときに、ＦＰＤカセッテ２において複数回のダーク読取が行われる。そして、１つの光電変換素子２３から各回のダーク読取ごとにダーク読取値が出力され、カセッテ制御部３０は、この複数回のダーク読取値（出力値）の平均値を算出する。この平均値の算出が全ての光電変換素子２３について行われ、この平均値はオフセット補正値として記憶部３１に記憶されるようになっている。
【００４７】
なお、オフセット補正値を生成するために何回のダーク読取を行うかの回数は特に規定されない。例えば、ダーク読取を１回行うことによりオフセット補正値を生成してもよい。この場合には、ダーク読取値の平均値を算出する処理は必要なく、当該１回のダーク読取におけるダーク読取値がオフセット補正値となる。
ダーク読取の回数が多いほど、ノイズ重畳影響の少ない、安定したオフセット補正値を算出することができるが、その分オフセット補正値を取得するまでに時間を要することとなるし、バッテリ２８を消耗することにもなる。なお、本実施形態においては、各撮影の直前に５回のダーク読取を行ってオフセット補正値を算出する場合を例として以下説明する。
【００４８】
図４は、ＦＰＤカセッテ２の機能的構成及びバッテリ２８から各機能部に電力を供給する給電回路を示す要部ブロック図である。
図４に示すように、ＦＰＤカセッテ２は、カセッテ制御部３０、記憶部３１、走査駆動回路３２、信号読出し回路４０を備える信号読出し部３３、計時手段３４、通信部３５、バイアス電源３６、温度センサ２７、バッテリ２８等を備えている。
【００４９】
カセッテ制御部３０は、図示しないＣＰＵ（Central Processing Unit）、ＲＯＭ（Read Only Memory）、ＲＡＭ（Random・Access Memory）等を備えるコンピュータであり、画像データの生成やオフセット補正値の算出を行う演算手段である。
ＲＯＭには、実写画像データ生成処理、オフセット補正値生成処理等、ＦＰＤカセッテ２において各種の処理を行うためのプログラム、各種の制御プログラムやパラメータ等が記憶されている。また本実施形態では、ＲＯＭには、撮影前に新たにオフセット補正値の算出を行うか否かをカセッテ制御部３０が判断する際に参照する温度の閾値が記憶されている。
カセッテ制御部３０は、ＲＯＭに格納された所定のプログラムを読み出してＲＡＭの作業領域に展開し、当該プログラムに従ってＣＰＵが各種処理を実行するようになっている。
【００５０】
記憶部３１は、例えばＨＤＤ（Hard Disk Drive）やフラッシュメモリ等で構成されており、記憶部３１には、読取部４５（図４参照）により生成される実写画像データ（被写体を透過した放射線に基づく画像データ）や、ダーク読取値（放射線を照射しない状態で取得された画像データ）等が記憶されるようになっている。
また、本実施形態において、記憶部３１は、オフセット補正値を記憶する補正値記憶部として機能する。すなわち、記憶部３１には、センサパネル部２４の温度が比較的安定しているときに取得されたダーク読取値に基づくオフセット補正値がデフォルト値として記憶されている。その他、記憶部３１には、オフセット補正値の算出が行われる毎に最新のオフセット補正値が記憶されていく。
なお、記憶部３１は内蔵型のメモリでもよいし、メモリカード等の着脱可能なメモリでもよい。また、その容量は特に限定されないが、複数枚分の画像データを保存可能な容量を有することが好ましい。このような記憶手段を備えることによって、被写体に対して連続して放射線を照射し、その度ごとに画像データを記録し蓄積していくことができ、連続撮影や動画撮影を行うことが可能となる。
【００５１】
計時手段３４は、操作装置７から曝射指示信号が送信されてからの経過時間を計時するものである。計時手段３４は、曝射指示信号が送信されてからの経過時間の情報を、カセッテ制御部３０に出力するようになっている。なお、計時手段３４は、カセッテ制御部３０内でソフト的に実現されるものであってもよい。
【００５２】
通信部３５は、アンテナ装置４６と接続されており、カセッテ制御部３０の制御に従って、コンソール５等の外部装置との間で各種信号の送受信を行う通信手段である。通信部３５は、無線アクセスポイント６を介して無線方式でコンソール５等の外部装置との通信を行う。
本実施形態において、通信部３５は、読取部４５によって読み取られた画像信号に基づく画像データ（実写画像データやダーク読取により得られたデータ）を外部機器であるコンソール５に送信するとともにコンソール５等から撮影オーダ情報を受信する。
【００５３】
温度センサ２７は、センサパネル部２４の温度を測定する温度測定手段であり、筐体２１の内部であって、例えばセンサパネル部２４の一端又はその近傍に設けられている。温度センサ２７は、ＦＰＤカセッテ２に後述するコンソール５から起動信号が入力された後にセンサパネル部２４の温度を測定するようになっている。温度センサ２７による測定結果は、カセッテ制御部３０に出力される。
温度センサ２７としては、例えばサーミスタ等の接触式のセンサの他、非接触式のセンサを適用することも可能である。
【００５４】
また、ＦＰＤカセッテ２は、ＦＰＤカセッテ２の各機能部に電力を供給する内部給電手段として、バッテリ２８を備えている。
なお、内部給電手段としては、例えばニッカド電池、ニッケル水素電池、リチウムイオン電池、小型シール鉛電池、鉛蓄電池、電気二重層コンデンサ等の充電自在な二次電池の他、燃料電池や取替え可能な一次電池等を適用することができる。
【００５５】
バッテリ２８から各機能部までの間の給電回路Ｃ上には、バッテリ２８から各機能部に対する電力供給のＯＮ／ＯＦＦを切り替えるＯＮ／ＯＦＦスイッチＳＷ１が設けられている。カセッテ制御部３０がこのＯＮ／ＯＦＦスイッチＳＷ１を制御することにより、バッテリ２８から各機能部に対する電力供給を制御するようになっている。
具体的には、カセッテ制御部３０は、電力供給を行う機能部については、ＯＮ／ＯＦＦスイッチＳＷ１をＯＮとし、電力供給を停止する機能部については、ＯＮ／ＯＦＦスイッチＳＷ１をＯＦＦとするように制御信号Ｓ１を出力する。これにより、適宜ＯＮ／ＯＦＦスイッチＳＷ１が切り替えられて、電力供給源から各機能部に対する電力供給が制御される。
【００５６】
本実施形態においては、バッテリ２８、給電回路Ｃ、ＯＮ／ＯＦＦスイッチＳＷ１等により、バイアス電源３６及び読取部４５を含むＦＰＤカセッテ２の各機能部に対して電力を供給する電力供給手段が構成されている。そして、カセッテ制御部３０は、この電力供給手段による各機能部に対する電力供給を制御する給電制御手段として機能する。
【００５７】
前述のように、カセッテ制御部３０には、曝射指示信号が送信されてからの経過時間の情報が、計時手段３４から送られるようになっており、カセッテ制御部３０は、計時手段３４から送られた情報に基づいて、一の撮影のための曝射指示信号が送信されてから所定期間が経過したか否かを判断するようになっている。そして、所定期間が経過したが次の撮影が実行されていないと判断する場合には、カセッテ制御部３０は、ＦＰＤカセッテ２の各機能部が撮影可能な撮影モードから撮影を休止する撮影休止モードに遷移するように、電源供給手段による各機能部に対する給電状態を制御する。
また、後述するコンソール５から所定の起動信号が通信部３５を介してＦＰＤカセッテ２に入力されると、カセッテ制御部３０は、ＦＰＤカセッテ２の各機能部が撮影モードに遷移するように、電源供給手段による各機能部に対する給電状態を制御する。
【００５８】
ここで、撮影モードとは、少なくともバイアス電源３６（図３及び図４参照）と、信号読出し回路４０に対してバッテリ２８から電力が供給され、光電変換素子（フォトダイオード）２３に対してバイアス電源３６からバイアス電圧が印加され、ＴＦＴ４１に接続された信号線と接続されＴＦＴ４１から信号を読み出す信号読出し回路４０に電圧が印加され続ける給電状態をいう。
また、撮影休止モードとは、光電変換素子２３に対するバイアス電圧の印加及び信号読出し回路４０に対する電圧の印加を停止している給電状態をいう。なお、撮影休止モードの際は、外部からの信号を受けるための通信部３５に対してだけ電力を供給し、全ての機能部に対する電力供給を停止させる場合には、電源スイッチ２２をＯＦＦとなるようにする。
なお、撮影モードにおいて、バッテリ２８から電力が供給される機能部はバイアス電源３６と、信号読出し回路４０に限定されない。また、撮影休止モードにおいて電圧の印加が停止される機能部はバイアス電源３６及び信号読出し回路４０に限定されない。
【００５９】
また、カセッテ制御部３０には、温度センサ２７からセンサパネル部２４の温度の測定結果が送られるようになっており、カセッテ制御部３０は、温度センサ２７により測定されたセンサパネル部２４の温度が、記憶部３１に記憶されているデフォルト値としてのオフセット補正値を算出した際の温度よりも所定以上変動しているか否かを判断する。具体的には、カセッテ制御部３０は、ＲＯＭ等に記憶されている閾値を参照して、温度センサ２７による測定結果が閾値を超えているか否かを判断する。
そして、温度の変動が所定以上である（すなわち、閾値を超えている）場合には、カセッテ制御部３０は、撮影前に再度オフセット補正値を取得するように各機能部を制御する補正値取得制御手段として機能する。具体的には、カセッテ制御部３０は、撮影を行う直前に複数回ダーク読取を行わせ、読取部４５によりセンサパネル部２４から読み取られた出力値に基づくダーク読取値を取得するとともに、演算手段として複数回分のダーク読取値の平均値を算出してオフセット補正値を算出する。新たに算出されたオフセット補正値は、最新のオフセット補正値として、デフォルト値としてのオフセット補正値とは別に記憶部３１に記憶される。なお、このオフセット補正値は、新たに算出される毎に更新され、最新のものが記憶部３１に記憶されていく。
【００６０】
コンソール５は、図５に示すように、ＣＰＵ（Central Processing Unit）等で構成される制御部５１、記憶部５２、入力部５３、表示部５４、通信部５５、ネットワーク通信部５６、等を備えて構成されており、各部はバス５７により接続されている。
【００６１】
記憶部５２は、図示しないＲＯＭ（read only memory）、ＲＡＭ（Random Access Memory）等から構成されている。
ＲＯＭは、例えばＨＤＤ（Hard Disk Drive）や半導体の不揮発性メモリ等で構成されており、ＲＯＭには、患部を検出するための自動部位認識に基づく階調処理・周波数処理等の画像処理を行うためのプログラム等、各種のプログラムが記憶されているほか、撮影画像の画像データを診断に適した画質に調整するための画像処理パラメータ（階調処理に用いる階調曲線を定義したルックアップテーブル、周波数処理の強調度等）等が記憶されている。
ＲＡＭは、制御部５１により実行制御される各種処理において、ＲＯＭから読み出されて制御部５１で実行可能な各種プログラム、入力若しくは出力データ、及びパラメータ等を一時的に記憶するワークエリアを形成する。
本実施形態では、記憶部５２は、患者情報、撮影オーダ情報等を記憶している。また、記憶部５２は、ＦＰＤカセッテ２から送信された実写画像データやこれに付帯する情報等を一時的に記憶するようになっている。
【００６２】
制御部５１は、ＲＯＭに記憶されているシステムプログラムや処理プログラム等の各種プログラムを読み出してＲＡＭに展開し、展開されたプログラムに従って各種処理を実行するコンソール５の制御手段である。
制御部５１は、ＦＰＤカセッテ２から送られた実写画像データに基づく画像を表示する表示するように表示部５４の表示を制御する表示制御手段である。
【００６３】
また、制御部５１は、被写体を提供する患者の患者情報、撮影オーダ情報を取得するとともに、取得した患者情報・撮影オーダ情報とＦＰＤカセッテ２で生成されコンソール５に送信された画像データとを対応付ける対応付け手段として機能する。なお、撮影オーダ情報等は、入力部５３から入力され記憶部５２等に記憶されているものであってもよいし、ＨＩＳ／ＲＩＳ８等から予め登録されている被写体情報（撮影オーダ情報）を取得するようになっていてもよい。
【００６４】
また、コンソール５には、ＦＰＤカセッテ２からオフセット補正後の実写画像データが送られるようになっており、実写画像データが送られてくると、制御部５１は、ＨＩＳ／ＲＩＳ等に記憶されているＦＰＤカセッテごとのゲイン補正値の中から、カセッテＩＤに基づいて、撮影に用いられたＦＰＤカセッテに対応するゲイン補正値を抽出する。そして、抽出されたゲイン補正値を用いてオフセット補正後の実写画像データに対しゲイン補正を行う。
さらに、制御部５１は、このオフセット補正・ゲイン補正後の実写画像データに対して、撮影部位に応じた階調処理・周波数処理等の画像処理を行い、診断用の確定画像データを生成する。
【００６５】
入力部５３は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部５１に出力する。
【００６６】
表示部５４は、例えば、ＣＲＴ（Cathode Ray Tube）やＬＣＤ（Liquid Crystal Display）等のモニタを備えて構成されており、制御部５１から入力される表示信号の指示に従って、各種画面を表示する。
【００６７】
通信部５５は、無線アクセスポイント６を介してＦＰＤカセッテ２等との間で無線方式により情報の送受信を行うものである。
本実施形態では、あるＦＰＤカセッテ２を使用して撮影を行う際に、通信部５５から当該ＦＰＤカセッテ２に対して起動信号が送信される。この起動信号は、ＦＰＤカセッテ２に対して、撮影可能な状態に遷移するよう指示する指示信号であり、ＦＰＤカセッテ２が撮影休止モードにある場合には、ＦＰＤカセッテ２は起動信号により撮影休止モードから覚醒し、撮影モードに遷移する。
【００６８】
ネットワーク通信部５６は、ネットワークインターフェース等により構成され、スイッチングハブを介してネットワークＮに接続された外部機器との間でデータの送受信を行う。
本実施形態において、ネットワークＮを介してコンソール５のネットワーク通信部５６と接続される外部装置としては、ＨＩＳ／ＲＩＳ８、ＰＡＣＳサーバ９、イメージャ１０等があるが、ネットワークＮに接続される外部装置はここに例示したものに限定されない。
【００６９】
ＨＩＳ／ＲＩＳ８は、撮影に関する被写体の撮影オーダ情報をコンソール５に提供する。撮影オーダ情報は、例えば検査対象を提供する患者の氏名等の患者情報や、撮影部位、撮影方法、撮影に使用するブッキー装置３の種類（臥位用のブッキー装置３ａか立位用のブッキー装置３ｂか等）等の撮影予約に関する情報等を含んでいる。なお、撮影オーダ情報はここに例示したものに限定されず、これ以外の情報を含んでいてもよいし、上記に例示した情報のうちの一部でもよい。
また、本実施形態において、ＨＩＳ／ＲＩＳ８は、ＦＰＤカセッテ２ごとに予め定められているゲイン補正値等を、各ＦＰＤカセッテ２のカセッテＩＤと対応付けて記憶する記憶手段である。なお、オフセット補正値やゲイン補正値を記憶する記憶手段は、ＨＩＳ／ＲＩＳ８に限定されない。
【００７０】
ＰＡＣＳサーバ９は、コンソール５から出力された診断用の確定画像データを保存するものである。
また、イメージャ１０は、コンソール５から出力された確定画像データに基づいて放射線画像をフィルムなどの画像記録媒体に記録し、出力する。
【００７１】
次に、図６及び図７を参照しつつ、本実施形態におけるＦＰＤカセッテ２の作用について説明する。
【００７２】
コンソール５の通信部５５から起動信号が送信され、ＦＰＤカセッテ２の通信部３５によりこの起動信号が受信されると（ステップＳ１）、カセッテ制御部３０は、少なくともバイアス電源３６と信号読出し回路４０（図３及び図４参照）に対してバッテリ２８から電力が供給され、光電変換素子（フォトダイオード）２３に対してバイアス電源３６からバイアス電圧が印加され、ＴＦＴ４１に接続された信号線と接続されＴＦＴ４１から信号を読み出す信号読出し回路４０に電圧が印加され続ける給電状態（撮影モード）となるように電力供給手段を制御する（ステップＳ２）。そして、温度センサ２７を動作させてセンサパネル部２４の温度を測定させる（ステップＳ３）。温度センサ２７による測定結果はカセッテ制御部３０に出力される（ステップＳ４）。
【００７３】
カセッテ制御部３０は、この測定結果を受け取ると、記憶部３１に記憶されているデフォルト値としてのオフセット補正値を算出した際の温度情報とＲＯＭ等に記憶されている温度の閾値とを読み出して、温度センサ２７による測定結果が、デフォルト値としてのオフセット補正値を算出した際の温度より所定以上、例えば２℃以上変動しているか否か（すなわち閾値を超えているか否か）を判断する（ステップＳ５）。
そして、所定以上変動していると判断した場合（ステップＳ５：ＹＥＳ）には、撮影の直前に複数回（例えば５回）ダーク読取をおこなうように読取部４５を制御して複数回分のダーク読取値を取得する（ステップＳ６）。さらに、カセッテ制御部３０は、演算手段としてこのダーク読取値の平均値を求め、オフセット補正値を算出する（ステップＳ７）。算出されたオフセット補正値は、最新のオフセット補正値として記憶部３１に記憶される（ステップＳ８）。
他方、温度センサ２７による測定結果が、デフォルト値としてのオフセット補正値を算出した際の温度より所定以上変動していないとカセッテ制御部３０が判断した場合（ステップＳ５：ＮＯ）には、ダーク読取及びオフセット補正値の算出は行わない。
【００７４】
その後、撮影が行われ、実写画像データが取得されて（ステップＳ９）、記憶部３１に記憶される（ステップＳ１０）。カセッテ制御部３０は、新たにオフセット補正値の算出が行われたとき（ステップＳ５：ＹＥＳ）は、最新のオフセット補正値により、オフセット補正値の算出が行われなかったとき（ステップＳ５：ＮＯ）は、デフォルト値としてのオフセット補正値により、実写画像データについてオフセット補正を行う（ステップＳ１１）。そして、カセッテ制御部３０は、通信部３５を介してオフセット補正後の実写画像データをコンソール５に送信する（ステップＳ１２）。
【００７５】
なお、操作装置７から曝射指示信号が送信されてからの経過時間が計時手段３４によって計時されており、カセッテ制御部３０は、この経過時間が所定の時間以上となったか否かを判断する（ステップＳ１３）。そして、所定時間以上となるまで（ステップＳ１３：ＮＯ）は、撮影モードを維持して（ステップＳ１４）、さらに経過時間が所定の時間以上となったか否かの判断を繰り返す。所定時間以上となっても次の撮影が行われないとき（ステップＳ１３：ＹＥＳ）は、光電変換素子２３に対するバイアス電圧の印加及び信号読出し回路４０に対する電圧の印加等を停止し、外部からの信号を受けるための通信部３５に対してだけバッテリ２８から電力を供給する給電状態（撮影休止モード）となるように電力供給手段を制御する（ステップＳ１５）。
【００７６】
以上のように、本実施形態によれば、ＦＰＤカセッテ２が起動信号を受けて撮影休止モードから覚醒するとセンサパネル部２４の温度を温度センサ２７で測定し、この測定結果によって、デフォルト値としてのオフセット補正値を用いることができるかどうかを判断する。
オフセット補正値は温度変化等により大きく変化するため、温度変化があったときには、それに応じて適宜オフセット補正値を更新する必要がある。この点、本実施形態では、センサパネル部２４の温度に所定以上の変動がある場合には、撮影前に新たにオフセット補正値を算出するため、撮影時の状況に近い状況下で取得された適切なオフセット補正値を用いて精度の高いオフセット補正を行うことができる。
また、センサパネル部２４の温度に所定以上の変動がない場合には、予め記憶部３１に記憶されているデフォルト値としてのオフセット補正値を用いても適切なオフセット補正を行うことができる。そのため、この場合には、新たなオフセット補正値の算出を行わずに、デフォルト値としてのオフセット補正値を用いてオフセット補正を行うことにより、バッテリ２８で駆動するＦＰＤカセッテ２において、無駄な電力消費を抑えてバッテリ２８の充電周期を伸ばすことができる。
【００７７】
また、一定時間撮影が行われないときには、カセッテ制御部３０の制御により、自動的に撮影休止モード、すなわち、光電変換素子２３に対するバイアス電圧の印加及び信号読出し回路４０に対する電圧の印加等を停止し、外部からの信号を受けるための通信部３５に対してだけバッテリ２８から電力を供給する給電状態となるので、無駄な電力消費を抑えてバッテリ２８の充電周期を伸ばすことができる。
そして、このように自動的に撮影休止モードに遷移する場合には、センサパネル部２４等の温度変化が少ないため、予め記憶されているデフォルト値としてのオフセット補正値をそのまま使用することができる。このため、頻繁にダーク読取及びオフセット補正値の算出を行う必要がなく、無駄な電力消費を抑えることができる。
【００７８】
なお、本実施形態では、ＦＰＤカセッテ２においてオフセット補正を行った上で補正後の実写画像データをコンソール５に送信するようにしたが、オフセット補正はコンソール５の側で行ってもよい。この場合には、実写画像データとこれに対応するオフセット補正値とを対応付けてコンソール５に送信する。
【００７９】
また、本実施形態では、センサパネル部２４の温度が比較的安定しているときに取得されたダーク読取値に基づくオフセット補正値をデフォルト値としてのオフセット補正値とし、記憶部３１には、このデフォルト値としてのオフセット補正値と適宜取得される最新のオフセット補正値とが記憶されており、このうち最新のオフセット補正値は新たに取得される度に順次更新される場合を例として説明したが、記憶部３１に記憶されているオフセット補正値はこれに限定されない。例えば、新たにオフセット補正値を算出する度に、算出されたオフセット補正値を算出時のセンサパネル部２４の温度と対応付けて記憶させてもよい。
この場合、温度センサ２７からセンサパネル部２４の温度の測定結果が送られると、カセッテ制御部３０が当該温度に最も近い温度のときに算出されたオフセット補正値を抽出し、温度変動（すなわち温度差）が所定の閾値以下であれば、新たにオフセット補正値を算出することなく、当該オフセット補正値を用いてオフセット補正を行うようにしてもよい。
【００８０】
また、本実施形態では、ＦＰＤカセッテ２でダーク読取を行った場合に、カセッテ制御部３０がダーク読取値の平均値を算出する等によりオフセット補正値を算出する場合を例としたが、オフセット補正値はカセッテ制御部３０において算出する場合に限定されない。例えば、ＦＰＤカセッテ２でダーク読取を行うと、当該ダーク読取によるダーク読取値（例えば５回のダーク読取による５回分のダーク読取値を加算したデータ）を実写画像データとともにコンソール５に送信し、コンソール５の制御部５１により、当該ダーク読取値からオフセット補正値を算出（例えば５回分のダーク読取値の平均値を算出）してオフセット補正を行うように構成してもよい。
【００８１】
また、本実施形態では、ＦＰＤカセッテ２が計時手段を備え、この計時手段３４により曝射指示信号が送信されてからの経過時間を計時し、一定時間が経過しても撮影が開始されないときは撮影休止モードに遷移するようにしたが、例えば、曝射指示信号が送信されてからの経過時間をコンソール５からＦＰＤカセッテ２に送信し、カセッテ制御部３０は、これに基づいて撮影休止モードに遷移するか否かを判断してもよい。
【００８２】
また、本実施形態においては、前室Ｒ２に、操作装置７を備え、これとは別個に放射線画像撮影システム１全体の制御を行うコンソール５が設けられる構成としたが、各前室Ｒ２に操作装置７に代えてコンソール５を備える構成としてもよい。この場合、コンソール５は、放射線画像撮影システム１全体の制御を行うとともに、放射線発生装置４の制御や、ブッキー装置３の操作等も適宜行う。
【００８３】
また、本実施形態においては、撮影オーダ情報は、コンソール５の制御部５１が、記憶部５２に予め保存してあるものを読み出したり、ＨＩＳ／ＲＩＳ８等に予め登録されている撮影オーダ情報をネットワークＮを介して取得するものとしたが、撮影オーダ情報は、必ずしも放射線画像撮影前に作成されている必要はなく、放射線画像撮影後に、取得された画像データと対応付けるようにして撮影オーダ情報を作成するように構成することも可能である。
【００８４】
また、本実施形態では、コネクタ部２６に直接ケーブル４９が接続される構成を例として説明したが、コネクタ部２６にケーブル４９が接続される構成はこれに限定されない。例えば、ＦＰＤカセッテ２をクレードル等に載置したり、ブッキー装置３に装填したりすると、外部電源等に接続されているケーブル４９が、クレードルやブッキー装置３を介してＦＰＤカセッテ２のコネクタ部２６に間接的に接続される構成としてもよい。
【００８５】
また、本実施形態では、バッテリ２８のみによって駆動する場合を例として説明したが、コネクタ部等を介して外部電源と接続されたときは外部電源によって駆動することも可能なように構成してもよい。
【００８６】
また、本実施形態では、ＦＰＤカセッテ２は、アンテナ装置４６を介して無線方式でコンソール５等の外部装置と通信を行うように構成したが、例えば通信用のコネクタ部を設けて、これに通信用のケーブルが接続されたときは有線方式で外部機器と通信できるように構成してもよい。
【００８７】
また、本実施形態では、センサパネル部２４の温度の変動が所定以上である場合には、撮影の直前にダーク読取を行うようにしたが、ダーク読取を行うタイミングは当該撮影時の特性に最も近いオフセット補正値を得られるタイミングであればよく、特に限定されない。例えば、撮影の直後にダーク読取を行ってもよい。
【００８８】
その他、本発明が本実施の形態に限定されず、適宜変更可能であることはいうまでもない。
【図面の簡単な説明】
【００８９】
【図１】放射線画像撮影システムの一実施形態のシステム構成を示す概略図である。
【図２】本実施形態におけるＦＰＤカセッテを示す斜視図である。
【図３】図２に示すＦＰＤカセッテのセンサパネル部及び読取部等の構成を示す等価回路図である。
【図４】図２に示すＦＰＤカセッテの機能的構成及びバッテリから各機能部に給電する給電回路を示す要部ブロック図である。
【図５】図１に示す放射線画像撮影システムに適用されるコンソールの機能的構成を示す要部ブロック図である。
【図６】本実施形態におけるＦＰＤカセッテの作用を示すフローチャートである。
【図７】本実施形態におけるＦＰＤカセッテの作用を示すフローチャートである。
【符号の説明】
【００９０】
１  放射線画像撮影システム
２  ＦＰＤカセッテ（放射線固体検出器）
５  コンソール
７  操作装置
２２  電源スイッチ
２４  アンテナ装置
２７  温度センサ（温度測定手段）
２８  バッテリ
３０  カセッテ制御部
３５  通信部
５１  制御部
５５  通信部
Ｎ  ネットワーク
Ｒ１  撮影室
Ｒ２  前室
【図１】
2010071659.tif 000003
【図２】
2010071659.tif 000004
【図３】
2010071659.tif 000005
【図４】
2010071659.tif 000006
【図５】
2010071659.tif 000007
【図６】
2010071659.tif 000008
【図７】
2010071659.tif 000009